(57)【要約】【課題】体液が滞留しないので凝血も発生しないとともに、体液流通時（透析時）にはクランプ、鉗子等が不要である接続部材及び医療用具を提供すること。【解決手段】本体（２）とコック（３）とストッパーチューブ（４）とから構成され、本体（２）は、上部及び左右に開口部（Ｏ）を有し、一端部に体液導出入チューブの接続部（５）を形成し、コック（３）は、上部及び左右に開口部（Ｏ）を有し、上部に液体導入チューブの接続部（６）を形成し、本体（２）の外周に回動できるようにコック（３）を装着し、本体（２）の接続部（５）を形成していない側の他方の端部にストッパーチューブ（４）を装着した接続部材（１）。【選択図】図１
2006239191.tif 000002
【特許請求の範囲】
【請求項１】
本体（２）とコック（３）とストッパーチューブ（４）とから構成され、
本体（２）は、上部及び左右に開口部（Ｏ）を有し、一端部に体液導出入チューブの接続部（５）を形成し、
コック（３）は、上部及び左右に開口部（Ｏ）を有し、上部に液体導入チューブの接続部（６）を形成し、
本体（２）の外周に回動できるようにコック（３）を装着し、本体（２）の接続部（５）を形成していない側の他方の端部にストッパーチューブ（４）を装着したことを特徴とする接続部材（１）。
【請求項２】
液体導入チューブから本体（２）内に液体を導入する時には、本体（２）の上部開口部（Ｏ）と、コック（３）の上部開口部（Ｏ）が一致し、
体液導出入チューブから本体（２）内に体液を導入する時は、コック（３）を本体（２）の外周に沿って回動させることにより、コック（３）の上部開口部（Ｏ）が移動して、
本体（２）の上部開口部（Ｏ）付近のデッドスペース（Ｓ）を減少させることができることを特徴とする請求項１に記載の接続部材（１）。
【請求項３】
請求項１ないし請求項２に記載の接続部材（１）を含むことを特徴とする医療用具。
【発明の詳細な説明】
【技術分野】
【０００１】
本発明は、薬液等を注入する接続部材の改良に関するもので、体液（血液）の滞留や凝固のない接続部材に関する。本発明の接続部材は、生理食塩液、薬液等の注入ライン等のジョイント（接続管、Ｔ字管ともいう）等の医療用具に使用される。
【背景技術】
【０００２】
図４と図５は、現在使用されている接続部材６１の断面図と使用状態図で、同図に例示するように、本体６２の上部ポート６３内部にデッドスペースＳが存在するため、本体６２内に流入してきた血液はデッドスペースＳ付近で滞留しやすく、血液の凝固を惹起することがあった。
【０００３】
特許文献１には二重に形成した本体において、内側本体に形成した取っ手を回転させることで開口及び閉口できる医療用の活栓が開示されている。
また、特許文献２には可動体を用いることで薬液等を導通又は非導通にすることができる側注装置が開示されている。
【０００４】
しかし、接続部材として用いた場合、特許文献１の活栓のような取っ手のある形状では、取っ手自体が邪魔になったり、また、具体的なチューブの接続方法は記載されていないものの、チューブを筒状本体内側の内面に接続した場合は、取っ手を操作した際にチューブが捩れたり、筒状本体外側の外周に接続した場合は段差ができて、段差に体液（血液）が滞留するといったことが想定される。
一方、特許文献２の側注装置は、操作に関しての構造が複雑で部品点数が多いことから、組立てる場合にも煩雑で、実際に製造するにはコスト高になると考えられる。
【特許文献１】特開平８−２４３１０８号公報（［請求項１］、図１、［００１３］）
【特許文献２】特開２００３−２４５３６２（［請求項１］、図１、図２、［００１１］、［００１３］）
【発明の開示】
【発明が解決しようとする課題】
【０００５】
本発明が解決しようとする問題点は、ハウジング内に流入してきた血液はデッドスペースＳ付近で滞留しやすく、血液の凝固を惹起する点である。
【課題を解決するための手段】
【０００６】
そこで本発明者は以上の課題を解決するために、鋭意検討を重ねた結果次の発明に到達した。
［１］本発明は、本体（２）とコック（３）とストッパーチューブ（４）とから構成され、
本体（２）は、上部及び左右に開口部（Ｏ）を有し、一端部に体液導出入チューブの接続部（５）を形成し、
コック（３）は、上部及び左右に開口部（Ｏ）を有し、上部に液体導入チューブの接続部（６）を形成し、
本体（２）の外周に回動できるようにコック（３）を装着し、本体（２）の接続部（５）を形成していない側の他方の端部にストッパ−チューブ（４）を装着した接続部材（１）を提供する。
［２］本発明は、液体導入チューブから本体（２）内に液体を導入する時には、本体（２）の上部開口部（Ｏ）と、コック（３）の上部開口部（Ｏ）が一致し、
体液導出入チューブから本体（２）内に体液を導入する時は、コック（３）を本体（２）の外周に沿って回動させることにより、コック（３）の上部開口部（Ｏ）が移動して、
本体（２）の上部開口部（Ｏ）付近のデッドスペース（Ｓ）を減少させることができる［１］に記載の接続部材（１）を提供する。
［３］本発明は、［１］ないし［２］に記載の接続部材（１）を含む医療用具を提供する。
【発明の効果】
【０００７】
（１）本発明の接続部材１は、コック３を本体２の外周に沿って回転させることで、本体２の上部開口部ＯのデッドスペースＳが少なくなり、本体２内に流入してきた体液は、デッドスペースＳに滞留することはなく、したがって凝血も発生しない。
（２）体液流通時（透析時）、コック３の回転により液体と本体２の流路を閉塞することができるので、クランプ、鉗子等が不要である。
（３）誰にでも容易・確実に操作することができる。
【発明を実施するための最良の形態】
【０００８】
図１は本発明の接続部材１の液体導入時（例えば生理食塩水充填時）の概略図（一部切欠断面図）、図２体液流通時（例えば透析時）の概略図、図３（Ａ）から（Ｄ）は本発明の接続部材１の構成及び組立方法の一例を示す概略図である。
［接続部材１］
本発明の接続部材１は、本体２とコック３とストッパーチューブ４とから構成される。
【０００９】
［本体２及びコック３］
本体２は略円筒形状で、上部及び左右の三方向に開口部Ｏを有している。一端部（図１から３では、左側部）に、体液導出入チューブＴの接続部５を形成している。接続部５のみやや大径に形成されている。
コック３は、略Ｔ字形状で、上部及び左右の三方向に開口部Ｏを有し、上部に液体導入チューブの接続部６を形成している。
コック３は、本体２の外周に回動できるようにを装着される。
詳述すれば、コック３は、本体２を内部に挿着でき、本体２の外周に沿って回動できるように、本体２より大径に形成されている。
本体２は、図３（Ａ）（Ｂ）に例示するように、やや細径の右端部側（接続部５を形成していない端部側）から、コック３の内部に挿着する。
そして、図３（Ｃ）（Ｄ）に例示するように、コック３から露出した本体２の右端部側に、ストッパーチューブ４を装着して、コック３を本体２に固定する。
ストッパーチューブ４により、本体２からコック３が、抜けたり緩んだりするのを防ぐことができる。
本体２、コック３、ストッパーチューブ４の形状、寸法等は、図１から３に例示するものに限定されることなく、要するに、体液（血液）や液体（生食等）の液漏れがなく、コック３が、本体２の外周に沿って回動でき、体液流通時に本体２の上部開口部Ｏ付近のデッドスペースＳを減少させることのできる形態であれば何でも良い。
またコック３の回転角度も液体移送チューブＴと本体２の流路を確実に閉塞でき、本体２の上部開口部Ｏ付近のデッドスペースＳを少なくできる角度であれば、何度でも良い。閉塞状態が容易に確認でき、確実に閉塞するには９０°あるいは１８０°が好ましい。
【００１０】
［液体導入時（生食充填時）］
図１に例示するように、コック３の接続部６を上部に向け、上部開口部Ｏと本体２の上部開口部Ｏと一致させて、連通状態にして、液体移送チューブＴから接続部５を経て本体２内に液体を導入する。
［体液流通時（透析時）］
コック３を本体２の外周りに沿って、所定の角度（図２では１８０°）回転させ、本体２の上部開口部Ｏを、コック３の壁面で閉塞状態にする。他方コック３の上部開口部Ｏは、図２では下部に移動し、本体２の壁面で閉塞状態にする。これにより、液体移送チューブＴと本体２の流路は完全に閉塞される。
この状態で、本体２の上部開口部ＯのデッドスペースＳは、少なくなっているので、体液導出入チューブＴから、体液を本体２内に導入しても、上部開口部Ｏ付近で、体液が滞留することがない。
【図面の簡単な説明】
【００１１】
【図１】本発明の接続部材１の使用状態図（一部切欠断面図）
【図２】本発明の接続部材１の使用状態図（一部切欠断面図）
【図３】（Ａ）〜（Ｄ）本発明の接続部材１の構成及び組立方法の一例
【図４】従来の接続部材の概略図（一部切欠断面図）
【図５】図４の使用状態図
【符号の説明】
【００１２】
１  接続部材
２  本体
３  コック
４  ストッパーチューブ
５  接続部
６  接続部
Ｏ  開口部
Ｔ  チューブ
Ｓ  デッドスペース
６１  接続部材
Ｃ  鉗子（クランプ）
【図１】
2006239191.tif 000003
【図２】
2006239191.tif 000004
【図３】
2006239191.tif 000005
【図４】
2006239191.tif 000006
【図５】
2006239191.tif 000007